【手続補正書】
【提出日】平成16年6月21日(2004.6.21)
【手続補正１】
【補正対象書類名】明細書
【補正対象項目名】全文
【補正方法】変更
【補正の内容】
【書類名】明細書
【発明の名称】ナースコール装置
【特許請求の範囲】
【請求項１】
患者名を集合廊下灯（１０ａ、１０ｂ、‥‥）の液晶表示器（３１）に表示させ、病床の患者によるナースコール子機（１ａ〜４ａ、１ｂ〜４ｂ、‥‥）からの呼び出しをナースコール親機（１１）に表示／報知させるナースコール装置であって、
前記集合廊下灯は、前記集合廊下灯が設置されている廊下の明るさを検知するための光量センサ（３２）と、人体が近付いたことを検知するための人体検知センサ（３３）とを備え、
前記液晶表示器のバックライト（３１ｂ）を、前記光量センサにて検知された明るさにより明るさが一定レベル以上であるとき点灯、明るさが一定レベル以下であるとき消灯させ、消灯時において前記人体検知センサで人体が近付いた時に点灯させるように点灯制御するためのＣＰＵ（３５）を備えたことを特徴とするナースコール装置。
【請求項２】
患者名を集合廊下灯（１０ａ’、１０ｂ’、‥‥）の液晶表示器（５１）に表示させ、病床の患者によるナースコール子機（１ａ〜４ａ、１ｂ〜４ｂ、‥‥）からの呼び出しをナースコール親機（１１）に表示／報知させるナースコール装置であって、
前記集合廊下灯は、人体が近付いたことを検知するための人体検知センサ（５２）を備え、
時間を計時するためのタイマ（５４）と、前記液晶表示器のバックライト（５１ｂ）を前記タイマにて計時された時間帯により日中等の昼間帯であるとき点灯、夜間帯や深夜等の就寝時間帯であるとき消灯させ、消灯時において前記人体検知センサで人体が近付いた時に点灯させるように点灯制御するためのＣＰＵ（５５）とを備えたことを特徴とするナースコール装置。
【請求項３】
患者名を集合廊下灯（１０ａ、１０ｂ、‥‥）の液晶表示器（３１）に表示させ、病床の患者によるナースコール子機（１ａ〜４ａ、１ｂ〜４ｂ、‥‥）からの呼び出しをナースコール親機（１１）に表示／報知させるナースコール装置であって、
前記集合廊下灯は、前記集合廊下灯が設置されている廊下の明るさを検知するための光量センサ（３２）を備え、
前記液晶表示器のバックライト（３１ｂ）を、前記光量センサにて検知された明るさにより明るさが一定レベル以上であるとき点灯、明るさが一定レベル以下であるとき消灯させるように点灯制御するためのＣＰＵ（３５）を備えたことを特徴とするナースコール装置。
【請求項４】
患者名を集合廊下灯（１０ａ’、１０ｂ’、‥‥）の液晶表示器（５１）に表示させ、病床の患者によるナースコール子機（１ａ〜４ａ、１ｂ〜４ｂ、‥‥）からの呼び出しをナースコール親機（１１）に表示／報知させるナースコール装置であって、
時間を計時するためのタイマ（５４）と、前記液晶表示器のバックライト（５１ｂ）を前記タイマにて計時された時間帯により日中等の昼間帯であるとき点灯、夜間帯や深夜等の就寝時間帯であるとき消灯させるように点灯制御するためのＣＰＵ（５５）とを備えたことを特徴とするナースコール装置。
【発明の詳細な説明】
【０００１】
【発明の属する技術分野】
本発明はナースコール装置に係り、特に集合廊下灯を構成する液晶表示器のバックライトの寿命を延ばすことができるナースコール装置に関する。
【０００２】
【従来の技術】
従来から、この種のナースコール装置として、図５のシステム構成図に示すナースコール装置が提案されている。
【０００３】
同図に示すナースコール装置は、病室番号が「１０１」、「１０２」、‥‥のように予め割り当てられてた病室内の病床毎、所定の位置に設置されるナースコール子機、ここでは、病室毎、４台づつ設置されており、病床番号（ベッド番号）が「１」〜「４」にそれぞれ割り当てられているナースコール子機１０１ａ〜１０４ａ、１０１ｂ〜１０４ｂ、‥‥と、病室毎、当該病室の出入口近傍である廊下付近に設置されており、子機接続線Ｌ101a〜Ｌ104a、Ｌ101b〜Ｌ104b、‥‥を介してナースコール子機１０１ａ〜１０４ａ、１０１ｂ〜１０４ｂ、‥‥がそれぞれ接続された集合廊下灯１１０ａ、１１０ｂ、‥‥と、ナースステーション内に設置されるナースコール親機１１１と、患者名、病室番号、病床位置、病状等の患者情報が予め保存されている病院内データベースであるオーダリングシステム１１２と、廊下灯接続幹線Ｌ110を介して集合廊下灯１１０ａ、１１０ｂ、‥‥、親機接続線Ｌ111を介してナースコール親機１１１、オーダリングシステム接続線Ｌ112を介してオーダリングシステム１１２をそれぞれ接続する中継器としてナースステーション内、または病院内の共用部に設置されており、集合廊下灯１１０ａ、１１０ｂ、‥‥、ナースコール親機１１１、オーダリングシステム１１２をそれぞれ制御するための制御機１１３とで構成されている。
【０００４】
図５のシステム構成図に示すナースコール子機１０１ａ〜１０４ａ、１０１ｂ〜１０４ｂ、‥‥は、それぞれ同様な構成であり、呼出ボタン１２０、子機マイク１２１、子機スピーカ１２２を有する。
【０００５】
図５のシステム構成図に示す集合廊下灯１１０ａ、１１０ｂ、‥‥は、それぞれ同様な構成であり、表示灯１３０ａ、１３０ｂ、液晶表示器（以下、廊下灯液晶表示器という。）１３１、人体検知センサ１３２を有する。
【０００６】
図５のシステム構成図に示すナースコール親機１１１は、液晶表示器（以下、親機液晶表示器という。）１４０、呼出報知・通話部１４１を有する。
【０００７】
このように構成された従来例のナースコール装置において、図５のシステム構成図に示す制御機１１３は、オーダリングシステム接続線Ｌ112を介して接続されたオーダリングシステム１１２に予め保存されている患者名、病室番号、病床位置、病状等の患者情報のデータを定期的に取り出しており、取り出された患者情報のデータは、廊下灯接続幹線Ｌ110を介して集合廊下灯１１０ａ、１１０ｂ、‥‥と親機接続線Ｌ111を介してナースコール親機１１１とにそれぞれ伝送される。
【０００８】
ここで、図５のシステム構成図に示す集合廊下灯１１０ａ、１１０ｂ、‥‥において、廊下灯液晶表示器１３１のバックライト（図示せず）が通常の待受時において点灯するように設定されている場合には、制御機１１３の制御によりオーダリングシステム１１２から取り出された患者情報のデータに含まれている患者名、病室番号、病床位置に基づいて、例えば、１０１号室内で病床番号「１」の病床に設置されているナースコール子機１０１ａを使用する患者の患者名「山田太郎」、１０１号室内で病床番号「２」の病床に設置されているナースコール子機１０２ａを使用する患者の患者名「鈴木一夫」、‥‥、‥‥のように、病室番号および病床番号に対応させた病床の患者名を、廊下灯液晶表示器１３１の画面上に点灯表示させることができる。
【０００９】
一方、図５のシステム構成図に示す集合廊下灯１１０ａ、１１０ｂ、‥‥において、廊下灯液晶表示器１３１のバックライト（図示せず）が人体検知センサ１３２にて人体を検知した時のみ点灯するように設定されている場合には、上述のような病室番号および病床番号に対応させた病床の患者名を、当該集合廊下灯の周囲近傍に近付いた人体を人体検知センサ１３２が検知した時のみ廊下灯液晶表示器１３１の画面上に点灯表示させることができる。
【００１０】
また、図５のシステム構成図に示すナースコール親機１１１では、制御機１１３の制御によりオーダリングシステム１１２から取り出された患者情報のデータに含まれている患者名、病室番号、病床位置に基づいて、例えば、１０１号室内で病床番号「１」の病床のレイアウトに割り当てた患者の患者名「山田太郎」、１０１号室内で病床番号「２」の病床のレイアウトに割り当てた患者の患者名「鈴木一夫」、‥‥、‥‥のように、病室内の病床のレイアウトに割り当てた患者名を、親機液晶表示器１４０の画面上に点灯表示させることができる。
【００１１】
次に、図５のシステム構成図において、病室内の病床の患者、ここでは、１０１号室内でナースコール子機１０１ａが病床に設置されている患者、すなわち、患者名が「山田太郎」の患者が、ナースステーション内の看護師を呼び出すために、ナースコール子機１０１ａの呼出ボタン１２０を操作すると、呼出元のナースコール子機１０１ａに子機接続線Ｌ101aを介して接続されている集合廊下灯１１０ａでは、病室の部屋番号「１０１」および病床番号「１」を含む呼出データ（呼出データ信号）を廊下灯接続幹線Ｌ110に出力するとともに、表示灯１３０ａ、１３０ｂを点滅／点灯させ、かつ廊下灯液晶表示器１３１のバックライト（図示せず）が通常の待受時において点灯するように設定されている場合には、点灯されているバックライト（図示せず）を保持したまま、１０１号室内で病床番号「１」の病床に設置されているナースコール子機１０１ａを使用する患者の患者名「山田太郎」を点滅表示させることにより、１０１号室の出入口近傍に居る看護人、例えば、巡回中の看護師に対して呼出報知が行なわれる。一方、廊下灯液晶表示器１３１のバックライト（図示せず）が人体検知センサ１３２にて人体を検知した時のみ点灯するように設定されている場合には、バックライト（図示せず）を点灯させ、１０１号室内で病床番号「１」の病床に設置されているナースコール子機１０１ａを使用する患者の患者名「山田太郎」を点滅表示させることにより、１０１号室の出入口近傍に居る看護人、例えば、巡回中の看護師に対して呼出報知が行なわれる。さらに、集合廊下灯１１０ａからの呼出データは、廊下灯接続幹線Ｌ110、制御機１１３、親機接続線Ｌ111を介してナースコール親機１１１に伝送される。
【００１２】
また、図５のシステム構成図に示すナースコール親機１１１では、集合廊下灯１１０ａからの呼出データに含まれている病室の部屋番号「１０１」および病床番号「１」に基づいて、親機液晶表示器１４０の画面上に予め点灯表示されている１０１号室内で病床番号「１」の病床のレイアウトに割り当てた患者の患者名「山田太郎」を点滅表示させるとともに、呼出報知・通話部１４１にて呼出音を鳴動させることにより、ナースステーション内の看護師に対して呼出報知が行なわれる。
【００１３】
さらに、１０１号室内で病床番号「１」の病床のレイアウトに割り当てた患者すなわち、患者名が「山田太郎」の患者からの呼び出しがあることを確認したナースステーション内の看護師が、図５のシステム構成図に示すナースコール親機１１１の呼出報知・通話部１４１を使用して適宜、応答すると、この呼出報知・通話部１４１と、親機接続線Ｌ111、制御機１１３、廊下灯接続幹線Ｌ110、集合廊下灯１１０ａ、子機接続線Ｌ101aを介してナースコール子機１０１ａの子機マイク１２１および子機スピーカ１２２との間の通話ラインが形成され、形成された通話ラインを介して音声データ（音声データ信号）を送受信させることにより通話が成立する。
【００１４】
【発明が解決しようとする課題】
しかしながら、従来例のナースコール装置を構成する集合廊下灯１１０ａ、１１０ｂ、‥‥において、廊下灯液晶表示器１３１のバックライト（図示せず）が通常の待受時において点灯するように設定されている場合には、１日中点灯されることとなり寿命が短かい難点がある、一方、人体検知センサ１３２にて人体を検知した時のみ点灯するように設定した場合でも、昼時間帯等、病室の出入口近傍における人の往来が多い時間帯には、点灯／消灯を頻繁に繰り返すため、１日中点灯させている場合と比較して、さらに寿命が短くなる難点があった。
【００１５】
本発明は、上述の難点を解消するためになされたもので、集合廊下灯が設置される環境および時間帯の相違に応じて、集合廊下灯を構成する液晶表示器のバックライトを点灯／消灯制御することにより、バックライトの寿命を延ばすことができるナースコール装置を提供することを目的としている。
【００１６】
【課題を解決するための手段】
上述の目的を達成するため、本発明のナースコール装置は、患者名を集合廊下灯の液晶表示器に表示させ、病床の患者によるナースコール子機からの呼び出しをナースコール親機に表示／報知させるナースコール装置であって、集合廊下灯は、集合廊下灯が設置されている廊下の明るさを検知するための光量センサを備え、液晶表示器のバックライトを、光量センサにて検知された明るさにより明るさが一定レベル以上であるとき点灯、明るさが一定レベル以下であるとき消灯させるように点灯制御するためのＣＰＵを備えている。
また、本発明のナースコール装置は、患者名を集合廊下灯の液晶表示器に表示させ、病床の患者によるナースコール子機からの呼び出しをナースコール親機に表示／報知させるナースコール装置であって、時間を計時するためのタイマと、液晶表示器のバックライトをタイマにて計時された時間帯により日中等の昼間帯であるとき点灯、夜間帯や深夜等の就寝時間帯であるとき消灯させるように点灯制御するためのＣＰＵとを備えている。
また、本発明のナースコール装置は、患者名を集合廊下灯の液晶表示器に表示させ、病床の患者によるナースコール子機からの呼び出しをナースコール親機に表示／報知させるナースコール装置であって、集合廊下灯は、集合廊下灯が設置されている廊下の明るさを検知するための光量センサと、人体が近付いたことを検知するための人体検知センサとを備え、液晶表示器のバックライトを光量センサにて検知された明るさにより明るさが一定レベル以上であるとき点灯、明るさが一定レベル以下であるとき消灯させ、消灯時において人体検知センサで人体が近付いた時に点灯させるように点灯制御するためのＣＰＵを備えている。
また、本発明のナースコール装置は、患者名を集合廊下灯の液晶表示器に表示させ、病床の患者によるナースコール子機からの呼び出しをナースコール親機に表示／報知させるナースコール装置であって、集合廊下灯は、人体が近付いたことを検知するための人体検知センサを備え、時間を計時するためのタイマと、液晶表示器のバックライトをタイマにて計時された時間帯により日中等の昼間帯であるとき点灯、夜間帯や深夜等の就寝時間帯であるとき消灯させ、消灯時において人体検知センサで人体が近付いた時に点灯させるように点灯制御するためのＣＰＵとを備えている。
【００１７】
このようなナースコール装置によれば、集合廊下灯の光量センサにて検知される廊下の明るさが一定レベル以上であるときＣＰＵにて検出された場合には、ＣＰＵの制御により液晶表示器のバックライトは点灯される、一方、光量センサにて検知される廊下の明るさが一定レベル以下であるとＣＰＵにて検出された場合には、ＣＰＵの制御により液晶表示器のバックライトは消灯される。
また、タイマにて計時される時間帯が、例えば、日中等の昼間帯であると集合廊下灯のＣＰＵにて検出された場合には、ＣＰＵの制御により液晶表示器のバックライトは点灯される、一方、タイマにて計時される時間帯が、例えば、夜間帯や深夜等の就寝時間帯であると集合廊下灯のＣＰＵにて検出された場合には、ＣＰＵの制御により液晶表示器のバックライトは消灯される。
【００１８】
このようなナースコール装置によれば、集合廊下灯の光量センサにて検知される廊下の明るさが一定レベル以上であるとＣＰＵにて検出された場合には、集合廊下灯に人体が近付いたと人体検知センサにて検知されなくても、ＣＰＵの制御により液晶表示器のバックライトは点灯される、一方、光量センサにて検知される廊下の明るさが一定レベル以下であるとＣＰＵにて検出された場合には、集合廊下灯に人体が近付いたと人体検知センサにて検知された時のみ、ＣＰＵの制御により液晶表示器のバックライトは点灯される。
また、タイマにて計時される時間帯が、例えば、日中等の昼間帯であると集合廊下灯のＣＰＵにて検出された場合には、集合廊下灯に人体が近付いたと人体検知センサにて検知されなくても、ＣＰＵの制御により液晶表示器のバックライトは点灯される、一方、タイマにて計時される時間帯が、例えば、夜間帯や深夜等の就寝時間帯であると集合廊下灯のＣＰＵにて検出された場合には、集合廊下灯に人体が近付いたと人体検知センサにて検知された時のみ、ＣＰＵの制御により液晶表示器のバックライトは点灯される。
【００１９】
【発明の実施の形態】
以下、本発明のナースコール装置を適用した好ましい形態の実施例について図面を参照して説明する。
【００２０】
図１は、本発明の第１の実施例によるナースコール装置を示すシステム構成図であり、病室番号が「１０１」、「１０２」、‥‥のように予め割り当てられてた病室内の病床毎、所定の位置に設置されるナースコール子機、ここでは、病室毎、４台づつ設置されており、病床番号（ベッド番号）が「１」〜「４」にそれぞれ割り当てられているナースコール子機１ａ〜４ａ、１ｂ〜４ｂ、‥‥と、病室毎、当該病室の出入口近傍である廊下付近に設置されており、子機接続線Ｌ1a〜Ｌ4a、Ｌ1b〜Ｌ4b、‥‥を介してナースコール子機１ａ〜４ａ、１ｂ〜４ｂ、‥‥がそれぞれ接続された集合廊下灯１０ａ、１０ｂ、‥‥と、ナースステーション内に設置されるナースコール親機１１と、患者名、病室番号、病床位置、病状等の患者情報が予め保存されている病院内データベースであるオーダリングシステム１２と、廊下灯接続幹線Ｌ10を介して集合廊下灯１０ａ、１０ｂ、‥‥、親機接続線Ｌ11を介してナースコール親機１１、オーダリングシステム接続線Ｌ12を介してオーダリングシステム１２をそれぞれ接続する中継器としてナースステーション内、または病院内の共用部に設置されており、集合廊下灯１０ａ、１０ｂ、‥‥、ナースコール親機１１、オーダリングシステム１２をそれぞれ制御するための制御機１３とで構成されている。
【００２１】
図１のシステム構成図に示すナースコール子機１ａ〜４ａ、１ｂ〜４ｂ、‥‥は、それぞれ同様な構成であり、病床の患者がナースステーション内の看護師を呼び出すために操作する呼出ボタン２０と、病床の患者が呼び出した看護師との間で通話を成立させるために使用する子機マイク２１、子機スピーカ２２とを有する。
【００２２】
図１のシステム構成図に示す集合廊下灯１０ａ、１０ｂ、‥‥は、それぞれ同様な構成であり、子機接続線Ｌ1a〜Ｌ4a、Ｌ1b〜Ｌ4b、‥‥を介して接続されたナースコール子機１ａ〜４ａ、１ｂ〜４ｂ、‥‥からの呼び出しがある場合に点滅／点灯される表示灯３０ａ、３０ｂと、制御機１３の制御によりオーダリングシステム１２から取り出される患者名、病室番号、病床位置、病状等の患者情報に基づいて、通常の待受時には病室番号および病床番号に対応させた病床の患者名を点灯表示し、ナースコール子機１ａ〜４ａ、１ｂ〜４ｂ、‥‥からの呼出時には病室番号および病床番号に対応させた病床の患者名を点滅表示するための液晶表示器（以下、廊下灯液晶表示器という。）３１と、当該集合廊下灯が設置されている廊下（廊下付近）の明るさを検知するための光量センサ３２と、当該集合廊下灯に人体が近付いたことを検知するための人体検知センサ３３とを有する。
【００２３】
また、集合廊下灯１０ａ、１０ｂ、‥‥は、図２のブロック図に示すように、上述の表示灯３０ａ、３０ｂ、廊下灯液晶表示器３１、光量センサ３２、人体検知センサ３３と、廊下灯液晶表示器３１の液晶３１ａにて所定の文字等を点灯表示、または点滅表示させるための液晶コントローラ３４と、廊下灯液晶表示器３１のバックライト３１ｂを光量センサ３２にて検知された明るさにより点灯、消灯させ、消灯時に人体検出センサ３３で人体が近付いた時に点灯させるように点灯制御するためのＣＰＵ３５と、ＣＰＵ３５と子機接続線Ｌ1a〜Ｌ4a、Ｌ1b〜Ｌ4b、‥‥との間のデータ（データ信号）伝送ラインを形成するための子機側インターフェース（以下、子機側Ｉ／Ｆという。）３６と、ＣＰＵ３５と廊下灯接続幹線Ｌ10との間のデータ（データ信号）伝送ラインを形成するための制御機側インターフェース（以下、制御機側Ｉ／Ｆという。）３７とが備えられており、廊下灯液晶表示器３１は、上述の液晶３１ａ、バックライト３１ｂと、ＣＰＵ３５により制御され、バックライト３１ｂを点灯、または消灯させるように当該バックライトへの電源供給を調節するためのＡＣインバータ３１ｃとを有する。
【００２４】
図１のシステム構成図に示すナースコール親機１１は、制御機１３の制御によりオーダリングシステム１２から取り出される患者名、病室番号、病床位置、病状等の患者情報に基づいて、通常の待受時には病室内の病床のレイアウトに割り当てた患者名を点灯表示し、ナースコール子機１ａ〜４ａ、１ｂ〜４ｂ、‥‥からの呼出時には病室内の病床のレイアウトに割り当てた患者名を点滅表示するための液晶表示器（以下、親機液晶表示器という。）４０と、ナースコール子機１ａ〜４ａ、１ｂ〜４ｂ、‥‥の呼出ボタン２０が操作された病床の患者からの呼び出しがある旨の呼出音を鳴動するとともに、この呼び出しを確認したナースステーション内の看護師が呼出元の患者との間で通話を成立させるために使用する呼出報知・通話部４１とを有する。
【００２５】
このように構成された本発明の第１の実施例によるナースコール装置において、以下、具体的な動作を説明する。
【００２６】
図１のシステム構成図において、制御機１３は、オーダリングシステム接続線Ｌ12を介して接続されたオーダリングシステム１２に予め保存されている患者名、病室番号、病床位置、病状等の患者情報のデータを定期的に取り出しており、取り出された患者情報のデータは、廊下灯接続幹線Ｌ10、図２のブロック図に示す集合廊下灯１０ａ、１０ｂ、‥‥の制御機側Ｉ／Ｆ３７を介してＣＰＵ３５と親機接続線Ｌ11を介してナースコール親機１１とにそれぞれ伝送される。
【００２７】
図２のブロック図に示す集合廊下灯１０ａ、１０ｂ、‥‥において、ＣＰＵ３５は、図１のシステム構成図に示す制御機１３の制御によりオーダリングシステム１２から取り出された患者情報のデータに含まれている患者名、病室番号、病床位置に基づいて、例えば、１０１号室内で病床番号「１」の病床に設置されているナースコール子機１ａを使用する患者の患者名「山田太郎」、１０１号室内で病床番号「２」の病床に設置されているナースコール子機２ａを使用する患者の患者名「鈴木一夫」、‥‥、‥‥のように、病室番号および病床番号に対応させた病床の患者名を、廊下灯液晶表示器３１の液晶３１ａに文字表示させるように液晶コントローラ３４を制御する。
【００２８】
ここで、図１のシステム構成図に示す集合廊下灯１０ａ、１０ｂ、‥‥が設置される各病室の出入口近傍の廊下（廊下付近）の明るさが確保されている場合、例えば、日中等の昼間帯や夜間帯でも照明により明るさが確保されている時間帯には、同図および図２のブロック図に示す光量センサ３２からのセンサ信号の明度レベルが一定レベル以上であるとＣＰＵ３５が検出し、廊下灯液晶表示器３１のバックライト３１ｂを、人体検知センサ３３に人体が近付いたか否か、すなわち、人体検知センサ３３にて人体を検知できたか否かに拘わらず点灯させるようにＡＣコンバータ３１ｃが制御される。これにより、各病室の出入口近傍である廊下（廊下付近）の明るさが確保されている場合、例えば、日中等の昼間帯や夜間帯でも照明により明るさが確保されている時間帯には、常に、病室番号および病床番号に対応させた病床の患者名を、廊下灯液晶表示器３１の画面上に点灯表示させることができる。
【００２９】
一方、図１のシステム構成図に示す集合廊下灯１０ａ、１０ｂ、‥‥が設置される各病室の出入口近傍である廊下（廊下付近）の明るさが確保されていない場合、例えば、深夜等の就寝時間帯には、同図および図２のブロック図に示す光量センサ３２からのセンサ信号の明度レベルが一定レベル以下であるとＣＰＵ３５が検出し、廊下灯液晶表示器３１のバックライト３１ｂを、人体検知センサ３３に人体が近付いた時、すなわち、人体検知センサ３３にて人体を検知できた時のみ点灯させるようにＡＣコンバータ３１ｃが制御される。これにより、各病室の出入口近傍である廊下（廊下付近）の明るさが確保されていない場合、例えば、深夜等の就寝時間帯には、集合廊下灯１０ａ、１０ｂ、‥‥の人体検知センサ３３にて人体が検知された時のみ、病室番号および病床番号に対応させた病床の患者名を、廊下灯液晶表示器３１の画面上に点灯表示させることができ、１日中点灯させている場合や点灯／消灯を頻繁に繰り返す場合と比較して、バックライト３１ｂの寿命が長くなる。
【００３０】
また、図１のシステム構成図に示すナースコール親機１１では、制御機１３の制御によりオーダリングシステム１２から取り出された患者情報のデータに含まれている患者名、病室番号、病床位置に基づいて、例えば、１０１号室内で病床番号「１」の病床のレイアウトに割り当てた患者の患者名「山田太郎」、１０１号室内で病床番号「２」の病床のレイアウトに割り当てた患者の患者名「鈴木一夫」、‥‥、‥‥のように、病室内の病床のレイアウトに割り当てた患者名を、親機液晶表示器４０の画面上に点灯表示させることができる。
【００３１】
次に、図１のシステム構成図において、病室内の病床の患者、ここでは、１０１号室内でナースコール子機１ａが病床に設置されている患者、すなわち、患者名が「山田太郎」の患者が、ナースステーション内の看護師を呼び出すために、ナースコール子機１ａの呼出ボタン２０を操作すると、病床番号「１」を含む呼出起動データが子機接続線Ｌ1a、図２のブロック図に示す集合廊下灯１０ａの子機側Ｉ／Ｆ３６を介してＣＰＵ３５に伝送される。
【００３２】
図２のブロック図に示す集合廊下灯１０ａのＣＰＵ３５は、ナースコール子機１ａからの呼出起動データに含まれている病床番号「１」に病室の部屋番号「１０１」を付加した呼出データを制御機側Ｉ／Ｆ３７を介して廊下灯接続幹線Ｌ10に出力するとともに、表示灯３０ａ、３０ｂを点滅／点灯させる。また、集合廊下灯１０ａのＣＰＵ３５は、呼出データの出力および表示灯３０ａ、３０ｂの制御と併せて、廊下灯液晶表示器３１のバックライト３１ｂが予め点灯されている場合にはＡＣコンバータ３１ｃへの制御を保持し、一方、バックライト３１ｂが予め消灯されている場合には点灯させるようにＡＣコンバータ３１ｃを制御するとともに、液晶コントローラ３４を制御することにより、１０１号室内で病床番号「１」の病床に設置されているナースコール子機１ａを使用する患者の患者名「山田太郎」が廊下灯液晶表示器３１の画面上に点滅表示され、１０１号室の出入口近傍に居る看護人、例えば、巡回中の看護師に対して呼出報知が行なわれる。さらに、集合廊下灯１０ａのＣＰＵ３５からの呼出データは、制御機側Ｉ／Ｆ３７、廊下灯接続幹線Ｌ10、図１のシステム構成図に示す制御機１３、親機接続線Ｌ11を介してナースコール親機１１に伝送される。
【００３３】
また、図１のシステム構成図に示すナースコール親機１１では、集合廊下灯１０ａからの呼出データに含まれている病室の部屋番号「１０１」および病床番号「１」に基づいて、親機液晶表示器４０の画面上に予め点灯表示されている１０１号室内で病床番号「１」の病床のレイアウトに割り当てた患者の患者名「山田太郎」を点滅表示させるとともに、呼出報知・通話部４１にて呼出音を鳴動させることにより、ナースステーション内の看護師に対して呼出報知が行なわれる。
【００３４】
さらに、１０１号室内で病床番号「１」の病床のレイアウトに割り当てた患者すなわち、患者名が「山田太郎」の患者からの呼び出しがあることを確認したナースステーション内の看護師が、図１のシステム構成図に示すナースコール親機１１の呼出報知・通話部４１を使用して適宜、応答すると、この呼出報知・通話部４１と、親機接続線Ｌ11、制御機１３、廊下灯接続幹線Ｌ10、図２のブロック図に示す集合廊下灯１０ａの制御機側Ｉ／Ｆ３７、ＣＰＵ３５、子機側Ｉ／Ｆ３６、子機接続線Ｌ1aを介してナースコール子機１ａの子機マイク２１および子機スピーカ２２との間の通話ラインが形成され、形成された通話ラインを介して音声データ（音声データ信号）を送受信させるとにより通話が成立する。
【００３５】
次に、本発明の第１の実施例によるナースコール装置と同様な効果、すなわち、集合廊下灯１０ａ、１０ｂ、‥‥を構成する液晶表示器３１のバックライト３１ｂの寿命を延ばすことができる同一の効果を有するナースコール装置を、以下、本発明の第２の実施例によるナースコール装置として、図面を参照して説明する。
【００３６】
図３は、本発明の第２の実施例によるナースコール装置を示すシステム構成図であり、病室番号が「１０１」、「１０２」、‥‥のように予め割り当てられてた病室内の病床毎、所定の位置に設置されるナースコール子機、ここでは、病室毎、４台づつ設置されており、病床番号（ベッド番号）が「１」〜「４」にそれぞれ割り当てられているナースコール子機１ａ〜４ａ、１ｂ〜４ｂ、‥‥と、病室毎、当該病室の出入口近傍である廊下付近に設置されており、子機接続線Ｌ1a〜Ｌ4a、Ｌ1b〜Ｌ4b、‥‥を介してナースコール子機１ａ〜４ａ、１ｂ〜４ｂ、‥‥がそれぞれ接続された集合廊下灯１０ａ’、１０ｂ’、‥‥と、ナースステーション内に設置されるナースコール親機１１と、患者名、病室番号、病床位置、病状等の患者情報が予め保存されている病院内データベースであるオーダリングシステム１２と、廊下灯接続幹線Ｌ10を介して集合廊下灯１０ａ’、１０ｂ’、‥‥、親機接続線Ｌ11を介してナースコール親機１１、オーダリングシステム接続線Ｌ12を介してオーダリングシステム１２をそれぞれ接続する中継器としてナースステーション内、または病院内の共用部に設置されており、集合廊下灯１０ａ’、１０ｂ’、‥‥、ナースコール親機１１、オーダリングシステム１２をそれぞれ制御するための制御機１３とで構成されている。
【００３７】
なお、図３のシステム構成図に示すナースコール子機１ａ〜４ａ、１ｂ〜４ｂ、‥‥、ナースコール親機１１は、本発明の一実施例に適用されたナースコール子機およびナースコール親機と同様な構成であることにより、その説明は省略する。
【００３８】
図３のシステム構成図に示す集合廊下灯１０ａ’、１０ｂ’、‥‥は、それぞれ同様な構成であり、子機接続線Ｌ1a〜Ｌ4a、Ｌ1b〜Ｌ4b、‥‥を介して接続されたナースコール子機１ａ〜４ａ、１ｂ〜４ｂ、‥‥からの呼び出しがある場合に点滅／点灯される表示灯５０ａ、５０ｂと、制御機１３の制御によりオーダリングシステム１２から取り出される患者名、病室番号、病床位置、病状等の患者情報に基づいて、通常の待受時には病室番号および病床番号に対応させた病床の患者名を点灯表示し、ナースコール子機１ａ〜４ａ、１ｂ〜４ｂ、‥‥からの呼出時には病室番号および病床番号に対応させた病床の患者名を点滅表示するための液晶表示器（以下、廊下灯液晶表示器という。）５１と、当該集合廊下灯に人体が近付いたことを検知するための人体検知センサ５２とを有する。
【００３９】
また、集合廊下灯１０ａ’、１０ｂ’、‥‥は、図４のブロック図に示すように、上述の表示灯５０ａ、５０ｂ、廊下灯液晶表示器５１、人体検知センサ５２と、廊下灯液晶表示器５１の液晶５１ａを文字表示させるための液晶コントローラ５３と、計時機能を有するタイマ５４と、廊下灯液晶表示器５１のバックライト５１ｂをタイマ５４にて計時される時間帯の相違により点灯、消灯させ、消灯時に人体検知センサ５２で人体が近付いた時に点灯させるように点灯制御するためのＣＰＵ５５と、ＣＰＵ５５と子機接続線Ｌ1a〜Ｌ4a、Ｌ1b〜Ｌ4b、‥‥との間のデータ（データ信号）伝送ラインを形成するための子機側インターフェース（以下、子機側Ｉ／Ｆという。）５６と、ＣＰＵ５５と廊下灯接続幹線Ｌ10との間のデータ（データ信号）伝送ラインを形成するための制御機側インターフェース（以下、制御機側Ｉ／Ｆという。）５７とが備えられており、廊下灯液晶表示器５１は、上述の液晶５１ａ、バックライト５１ｂと、ＣＰＵ５５により制御され、バックライト５１ｂを点灯、または点滅させる当該バックライトへの電源供給を調節するためのＡＣインバータ５１ｃとを有する。
【００４０】
このように構成された本発明の第２の実施例によるナースコール装置において、以下、具体的な動作を説明する。
【００４１】
図３のシステム構成図において、制御機１３は、オーダリングシステム接続線Ｌ12を介して接続されたオーダリングシステム１２に予め保存されている患者名、病室番号、病床位置、病状等の患者情報のデータを定期的に取り出しており、取り出された患者情報のデータは、廊下灯接続幹線Ｌ10、図４のブロック図に示す集合廊下灯１０ａ’、１０ｂ’、‥‥の制御機側Ｉ／Ｆ５７を介してＣＰＵ５５と親機接続線Ｌ11を介してナースコール親機１１とにそれぞれ伝送される。
【００４２】
図４のブロック図に示す集合廊下灯１０ａ’、１０ｂ’、‥‥において、ＣＰＵ５５は、図３のシステム構成図に示す制御機１３の制御によりオーダリングシステム１２から取り出された患者情報のデータに含まれている患者名、病室番号、病床位置に基づいて、例えば、１０１号室内で病床番号「１」の病床に設置されているナースコール子機１ａを使用する患者の患者名「山田太郎」、１０１号室内で病床番号「２」の病床に設置されているナースコール子機２ａを使用する患者の患者名「鈴木一夫」、‥‥、‥‥のように、病室番号および病床番号に対応させた病床の患者名を、廊下灯液晶表示器５１の液晶５１ａに文字表示させるように液晶コントローラ５３を制御する。
【００４３】
ここで、図４のブロック図に示す集合廊下灯１０ａ’、１０ｂ’、‥‥のタイマ５４にて計時される時間帯が、例えば、日中等の昼間帯である場合、これを検出したＣＰＵ５５は、廊下灯液晶表示器５１のバックライト５１ａを、同図および図３のシステム構成図に示す人体検知センサ５２に人体が近付いたか否か、すなわち、人体検知センサ５２にて人体を検知できたか否かに拘わらず点灯させるようにＡＣコンバータ５１ｃを制御する。これにより、例えば、日中等の昼間帯には、常に、病室番号および病床番号に対応させた病床の患者名を、廊下灯液晶表示器５１の画面上に点灯表示させることができる。
【００４４】
一方、図４ブロック図に示す集合廊下灯１０ａ’、１０ｂ’、‥‥のタイマ５４にて計時される時間帯が、例えば、夜間帯や深夜等の就寝時間帯である場合、これを検出したＣＰＵ５５は、廊下灯液晶表示器５１のバックライト５１ａを、人体検知センサ５２に人体が近付いた時、すなわち、人体検知センサ５２にて人体を検知できた時のみ点灯させるようにＡＣコンバータ５１ｃを制御する。これにより、例えば、夜間帯や深夜等の就寝時間帯には、集合廊下灯１０ａ’、１０ｂ’、‥‥の人体検知センサ５２にて人体が検知された時のみ、病室番号および病床番号に対応させた病床の患者名を、廊下灯液晶表示器５１の画面上に点灯表示させることができ、１日中点灯させている場合や点灯／消灯を頻繁に繰り返す場合と比較して、バックライト５１ｂの寿命が長くなる。
【００４５】
また、図３のシステム構成図に示すナースコール親機１１では、制御機１３の制御によりオーダリングシステム１２から取り出された患者情報のデータに含まれている患者名、病室番号、病床位置に基づいて、例えば、１０１号室内で病床番号「１」の病床のレイアウトに割り当てた患者の患者名「山田太郎」、１０１号室内で病床番号「２」の病床のレイアウトに割り当てた患者の患者名「鈴木一夫」、‥‥、‥‥のように、病室内の病床のレイアウトに割り当てた患者名を、親機液晶表示器４０の画面上に点灯表示させることができる。
【００４６】
なお、本発明の第２の実施例によるナースコール装置において、病室内の病床の患者がナースステーション内の看護師を呼び出して通話を成立させるための動作は、本発明の第１の実施例における該当動作と同様であることにより、その説明は省略する。
【００４７】
また、本発明の第２の実施例によるナースコール装置では、計時機能を有するタイマ５４を集合廊下灯１０ａ’、１０ｂ’、‥‥に備えたが、このタイマ５４は、集合廊下灯１０ａ’、１０ｂ’、‥‥、ナースコール親機１１、制御機１３のうち何れかの端末に備えることができる。
【００４８】
【発明の効果】
以上の説明から明らかなように、本発明のナースコール装置によれば、集合廊下灯が設置される廊下（廊下付近）の明るさが一定レベル以上である場合や、例えば、日中等の昼間帯の場合には、集合廊下灯に人体が近付かなくても液晶表示器のバックライトは点灯される、一方、廊下（廊下付近）の明るさが一定レベル以下である場合や、例えば、夜間帯や深夜等の就寝時間帯の場合には、集合廊下灯に人体が近付いた時のみ、液晶表示器のバックライトは点灯されることにより、１日中点灯させている場合や点灯／消灯を頻繁に繰り返す場合と比較して、バックライトの寿命が長くなる。
【図面の簡単な説明】
【図１】
本発明の第１の実施例によるナースコール装置を示すシステム構成図である。
【図２】
本発明の第１の実施例によるナースコール装置をなす集合廊下灯の具体的な構成を示すブロック図である。
【図３】
本発明の第２の実施例によるナースコール装置を示すシステム構成図である。
【図４】
本発明の第２の実施例によるナースコール装置をなす集合廊下灯の具体的な構成を示すブロック図である。
【図５】
従来例のナースコール装置を示すシステム構成図である。
【符号の説明】
１ａ〜４ａ、１ｂ〜４ｂ、‥‥‥ナースコール子機
１０ａ、１０ｂ、‥‥‥１０ａ’、１０ｂ’、‥‥‥集合廊下灯
１１‥‥‥ナースコール親機
１２‥‥‥オーダリングシステム
１３‥‥‥制御機
３１、５１‥‥‥液晶表示器
３１ｂ、５１ｂ‥‥‥バックライト
３２‥‥‥光量センサ
３３、５２‥‥‥人体検知センサ
５４‥‥‥タイマ
３５、５５‥‥‥ＣＰＵ